【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
（Ａ）カルボン酸を有する樹脂と、下記一般式（１）で示される（Ｂ）変性β−ビドロキシアルキルアミドと、有機溶剤とからなる樹脂組成物。
一般式（１）
【化１】
2012197433.tif 000001
ここで、Ｘは炭素、水素、酸素、窒素、硫黄、またはハロゲンからなるｎ価の基であり、カルボニル基に直接結合するＸ中の原子が炭素原子である官能基を表し、ｎは２〜６の整数であり、Ｒ1およびＲ2は、それぞれ独立に、水素原子、炭化水素基、一般式（２）で表される基、または一般式（３）で表される基を表し、分子中少なくとも１つは一般式（２）で表される基、分子中少なくとも１つは一般式（３）で表される基である。
一般式（２）
【化２】
2012197433.tif 000002
一般式（３）
【化３】
2012197433.tif 000003
ここで、Ｒ3〜Ｒ6はそれぞれ独立に水素原子、炭化水素基、またはヒドロキシ基で置換された炭化水素基を表し、Ｒ7はヒドロキシ基と反応しうる官能基を有する化合物の残基を表す。
【請求項２】
カルボニル基と直接結合するＸ中の原子が、芳香環を形成する炭素原子ではないことを特徴とする請求項１記載の樹脂組成物。
【請求項３】
上記ヒドロキシ基と反応しうる官能基を有する化合物が、ヒドロキシ基と反応しうる官能基を１つ有するものであることを特徴とする請求項１または２記載の樹脂組成物。
【請求項４】
上記ヒドロキシ基と反応しうる官能基を有する化合物が、単官能のイソシアネート、カルボン酸、カルボン酸ハロゲン化物、のいずれかであることを特徴とする請求項１〜３いずれか記載の樹脂組成物。
【請求項５】
一般式（３）中のＲ７が一般式（４）または一般式（５）で表されることを特徴とする請求項１〜４いずれか記載の樹脂組成物。
一般式（４）
【化４】
2012197433.tif 000004
ここで、Ｒ8は単結合；（ｍ1＋１）価の炭化水素基；または、ウレタン結合、ウレア結合、アロファネート結合、ビウレット結合、およびイソシアヌレート環のうち少なくとも１つと、炭素原子と、水素原子とからなる（ｍ1＋１）価の基を表し、Ａ1は単結合、ウレタン結合またはウレア結合を表し、Ｒ9は２価の炭化水素基を表し、Ａ2はエーテル結合またはエステル結合を表し、Ｒ10は１価の炭化水素基を表し、ｍ1は１〜５の整数を表し、ｐ1は０〜１００の整数を表す。
一般式（５）
【化５】
2012197433.tif 000005
ここで、Ｒ11は単結合；（ｍ2＋１）価の炭化水素基、；または炭素原子、水素原子、および酸素原子からなる（ｍ2＋１）価の基を表し、Ａ3は単結合、エステル結合、またはアミド結合を表し、Ｒ12は２価の炭化水素基を表し、Ａ4はエーテル結合またはエステル結合を表し、Ｒ13は１価の炭化水素基を表し、ｍ2は１〜５の整数を表し、ｐ2は０〜１００の整数を表す。
【請求項６】
一般式（１）中のＸが、炭素数６〜６０の脂肪族炭化水素基、あるいは、脂環式炭化水素基であることを特徴とする請求項１〜５いずれか記載の樹脂組成物。
【請求項７】
請求項１〜６いずれか記載の樹脂組成物を加熱してなる硬化物。
【手続補正２】
【補正対象書類名】明細書
【補正対象項目名】発明の名称
【補正方法】変更
【補正の内容】
【発明の名称】架橋性組成物
【手続補正３】
【補正対象書類名】明細書
【補正対象項目名】０００１
【補正方法】変更
【補正の内容】
【０００１】
本発明は、有機溶剤可溶な変性β−ヒドロキシアルキルアミドとカルボキシ基を有する樹脂との組成物、およびその組成物を加熱することでなる硬化物に関する。
【手続補正４】
【補正対象書類名】明細書
【補正対象項目名】００１０
【補正方法】変更
【補正の内容】
【００１０】
本発明は上記の現状に鑑みてなされたものであり、有機溶剤に可溶であり、カルボキシ基と反応する架橋剤である有機溶剤可溶なβ−ヒドロキシアルキルアミドを含む樹脂組成物、および、その硬化物を提供することを目的とする。
【手続補正５】
【補正対象書類名】明細書
【補正対象項目名】００１１
【補正方法】変更
【補正の内容】
【００１１】
すなわち、本発明は、（Ａ）カルボン酸を有する樹脂と、下記一般式（１）で示される（Ｂ）変性β−ビドロキシアルキルアミドと、有機溶剤とからなる樹脂組成物に関する。
一般式（１）
【化１】
2012197433.tif 000006
ここで、Ｘは炭素、水素、酸素、窒素、硫黄、またはハロゲンからなるｎ価の基であり、カルボニル基に直接結合するＸ中の原子が炭素原子である官能基を表し、ｎは２〜６の整数であり、Ｒ1およびＲ2は、それぞれ独立に、水素原子、炭化水素基、一般式（２）で表される基、または一般式（３）で表される基を表し、分子中少なくとも１つは一般式（２）で表される基、分子中少なくとも１つは一般式（３）で表される基である。
一般式（２）
【化２】
2012197433.tif 000007
一般式（３）
【化３】
2012197433.tif 000008
ここで、Ｒ3〜Ｒ6はそれぞれ独立に水素原子、炭化水素基、またはヒドロキシ基で置換された炭化水素基を表し、Ｒ7はヒドロキシ基と反応しうる官能基を有する化合物の残基を表す。
【手続補正６】
【補正対象書類名】明細書
【補正対象項目名】００１２
【補正方法】変更
【補正の内容】
【００１２】
また本発明は、カルボニル基と直接結合するＸ中の原子が、芳香環を形成する炭素原子ではないことを特徴とする上記樹脂組成物に関する。
【手続補正７】
【補正対象書類名】明細書
【補正対象項目名】００１３
【補正方法】変更
【補正の内容】
【００１３】
また本発明は、上記ヒドロキシ基と反応しうる官能基を有する化合物が、ヒドロキシ基と反応しうる官能基を１つ有するものであることを特徴とする上記樹脂組成物に関する。
【手続補正８】
【補正対象書類名】明細書
【補正対象項目名】００１４
【補正方法】変更
【補正の内容】
【００１４】
また本発明は、上記ヒドロキシ基と反応しうる官能基を有する化合物が、単官能のイソシアネート、カルボン酸、カルボン酸ハロゲン化物、のいずれかであることを特徴とする上記樹脂組成物に関する。
【手続補正９】
【補正対象書類名】明細書
【補正対象項目名】００１５
【補正方法】変更
【補正の内容】
【００１５】
また本発明は、一般式（３）中のＲ7が一般式（４）または一般式（５）で表されることを特徴とする上記樹脂組成物に関する。
一般式（４）
【化４】
2012197433.tif 000009
ここで、Ｒ8は単結合；（ｍ1＋１）価の炭化水素基；または、ウレタン結合、ウレア結合、アロファネート結合、ビウレット結合、およびイソシアヌレート環のうち少なくとも１つと、炭素原子と、水素原子とからなる（ｍ1＋１）価の基を表し、Ａ1は単結合、ウレタン結合またはウレア結合を表し、Ｒ9は２価の炭化水素基を表し、Ａ2はエーテル結合またはエステル結合を表し、Ｒ10は１価の炭化水素基を表し、ｍ1は１〜５の整数を表し、ｐ1は０〜１００の整数を表す。
一般式（５）
【化５】
2012197433.tif 000010
ここで、Ｒ11は単結合；（ｍ2＋１）価の炭化水素基、；または炭素原子、水素原子、および酸素原子からなる（ｍ2＋１）価の基を表し、Ａ3は単結合、エステル結合、またはアミド結合を表し、Ｒ12は２価の炭化水素基を表し、Ａ4はエーテル結合またはエステル結合を表し、Ｒ13は１価の炭化水素基を表し、ｍ2は１〜５の整数を表し、ｐ2は０〜１００の整数を表す。
【手続補正１０】
【補正対象書類名】明細書
【補正対象項目名】００１６
【補正方法】変更
【補正の内容】
【００１６】
また本発明は、一般式（１）中のＸが、炭素数６〜６０の脂肪族炭化水素基または炭素数６〜６０の脂環式炭化水素基であることを特徴とする上記樹脂組成物に関する。
【手続補正１１】
【補正対象書類名】明細書
【補正対象項目名】００１７
【補正方法】削除
【補正の内容】
【手続補正１２】
【補正対象書類名】明細書
【補正対象項目名】００１９
【補正方法】変更
【補正の内容】
【００１９】
本発明により、有機溶剤に可溶であり、カルボキシ基と反応する架橋剤である有機溶剤可溶なβ−ヒドロキシアルキルアミドを含む樹脂組成物、および、その硬化物を提供することができた。